(57)【特許請求の範囲】
【請求項１】
髪を挟持する髪挟み体５・６が設けられる第１、第２挟み腕２・３と、イオンを生成するイオン発生装置１１と、生成されたイオンが吹き出るイオン吹出口１３とを備えた髪処理装置であって、
対向配置した第１、第２の挟み腕２・３どうしを揺動軸４で連結して、両挟み腕２・３が揺動軸４まわりに揺動開閉できるよう構成されており、
第１挟み腕２は、生成されたイオンを送給するためのファン９およびモータ１０を収容する中空状のケース体８から成り、
ケース体８の第２挟み腕３と対向する面に、ファン９用の吸風口１５が開口されており、
髪挟み体５・６と吸風口１５との間に、髪挟み体５・６側から吸風口１５側へ向かう髪の横移動を阻止する髪受け突起２３が設けられていることを特徴とする髪処理装置。
【発明の詳細な説明】
【技術分野】
【０００１】
本発明は、くせのある毛髪を真直ぐに伸ばし、或いは直毛を縮れ変形させる際等に使用する、一対の挟み腕を備えた髪処理装置に関する。
【背景技術】
【０００２】
この種の髪処理装置としては、例えば実公平６−１０４１号公報に公知である。そこでは、挟み腕の側端どうしを相対揺動可能に連結し、片方の挟み腕の内部に送風ファンとヒータとを収容して、一対の挟み腕間で挟んだ毛髪に温風を供給できるようにしてある。その際に、一対の挟み腕にくせ付け用の突起を互い違いに設けておくと、直毛を縮れ変形させることができる。また、毛髪を挟み腕の対向面間に挟んだ状態のままでしごくと、くせ付けされた毛髪を真直ぐに伸ばすことができる。
【０００３】
本発明の髪処理装置では、一対の挟み腕の対向面の片方に送風ファン用の吸風口を設けるが、この点に関して実公平６−４８０１号公報がある。そこでは送風ファンおよびヒータを内蔵した本体部と、スイッチなどが組み込まれた置台との側端どうしを相対揺動可能に連結し、置台と対向する本体部の下面に送風ファン用の吸風口を有する。但し、この装置はヘアードライヤであって、壁に掛け止め固定し、あるいは据え置き状態で髪を乾燥するためにのみ使用される。
【０００４】
【特許文献１】実公平６−１０４１号公報
【特許文献２】実公平６−４８０１号公報
【発明の開示】
【発明が解決しようとする課題】
【０００５】
従来の髪処理装置は、一対の挟み腕で挟み保持した髪に熱を加え、あるいはスチームを当てることにより、髪のくせ伸ばしや、直毛の縮れ変形などの髪処理を効果的に行えるようにしている。しかし、生きている髪に熱やスチームを当てるので髪が傷みやすい。例えば、髪処理を急ぐあまり髪に過大な熱を加えてしまい、髪の色や組織を変質させてしまうことがある。髪にスチームを当てる形態の髪処理装置は、髪に湿り気を与えながらくせ伸ばしなどの髪処理を行えるので、髪の処理やセットを手軽に行える。しかし、髪に加熱空気を吹き付ける形態の髪処理装置は、予め髪に湿り気を与え、あるいは髪にセット液を擦り込んでおくなどの準備が必要であるため、一連の作業に多くの手間が掛かってしまう。
【０００６】
本発明の目的は、髪を挟持する挟み腕の内部にイオン発生装置が組み込まれていて、髪処理時にイオン発生装置で生成したマイナスイオンを髪に作用させることにより、髪のくせ伸ばしや、直毛の縮れ処理などの髪処理を効果的に行うことができるうえ、乾燥した髪であっても手軽に、しかも的確に髪処理できる髪処理装置を提供することにある。
【課題を解決するための手段】
【０００７】
髪を挟持する髪挟み体５・６が設けられる第１、第２挟み腕２・３と、イオンを生成するイオン発生装置１１と、生成されたイオンが吹き出るイオン吹出口１３とを備えた髪処理装置であって、対向配置した第１、第２の挟み腕２・３どうしを揺動軸４で連結して、両挟み腕２・３が揺動軸４まわりに揺動開閉できるよう構成されており、第１挟み腕２は、生成されたイオンを送給するためのファン９およびモータ１０を収容する中空状のケース体８から成り、第２挟み腕３と対向するケース体８の周面には、ファン９用の吸風口１５が開口されており、髪挟み体５・６と吸風口１５との間に、髪挟み体５・６側から吸風口１５側へ向かう髪の横移動を阻止する髪受け突起２３が設けられている。    
【発明の効果】
【０００８】
本発明の髪処理装置は、髪を挟持する髪挟み体５・６が設けられる第１、第２挟み腕２・３と、イオンを生成するイオン発生装置１１と、生成されたイオンが吹き出るイオン吹出口１３とを備えた髪処理装置であって、対向配置した第１、第２の挟み腕２・３どうしを揺動軸４で連結して、両挟み腕２・３が揺動軸４まわりに揺動開閉できるよう構成されており、第１挟み腕２は、生成されたイオンを送給するためのファン９およびモータ１０を収容する中空状のケース体８から成り、第２挟み腕３と対向するケース体８の周面には、ファン９用の吸風口１５が開口されていることにより、第１、第２挟み腕２・３を手で握り締めた状態において、吸風口１５が使用者の手で直接に塞がれることがなく、イオン発生装置１１で生成したマイナスイオンは、ファン９で生起した加圧風と共にイオン吹出口１３から髪に向かって確実に吹き出る。
【０００９】
吹出口１３から吹き出たマイナスイオンは、両挟み腕２・３で挟み保持された髪に付着して、プラスに帯電した髪を中和して髪のぱさつきを防止しながら、マイナスイオンを髪に浸透させて髪をしなやかにする。従って、本発明の髪処理装置によれば、髪のくせ伸ばしや、直毛の縮れ処理などの髪処理を効果的に行え、乾燥した髪であっても手軽にしかも的確に処理できる。
【００１０】
また、髪挟み体５・６と吸風口１５との間に、髪の横移動を阻止する髪受け突起２３が設けられていると、髪を一対の髪挟み体５・６で挟み保持したとき、両髪挟み体５・６から食み出て吸風隙間Ｅ側へ入り込んだ髪を髪受け突起２３で受け止めて、それ以上に横移動するのを阻止できるので、髪の一部が吸風口１５に吸い込まれるのを確実に防止できる。従って、長い髪の処理を行う場合でも、髪がファン９に絡みついてモータロック状態に陥るのを確実に阻止でき、安全性に優れた髪処理装置が得られる。
【発明を実施するための最良の形態】
【００１１】
図１ないし図７は、本発明をストレータ（髪処理装置）に適用した実施例を示す。図１および図２においてストレータは、グリップ部１Ａと処理部１Ｂとが隣接して設けてある挟持体１を有する。
【００１２】
挟持体１は、上下に対向配置した第１、第２の挟み腕２・３の側端どうしを揺動軸４で連結してあり、両挟み腕２・３は揺動軸４まわりに揺動開閉できる。両挟み腕２・３による髪の挟み込み操作を簡便化するために、第２挟み腕３は図外のばねで開き勝手に揺動付勢されており、図１の想像線で示す開放姿勢に位置保持されている。この開放姿勢にある両挟み腕２・３のグリップ部１Ａを片方の手で握り込むことによって、両挟み腕２・３の対向面のそれぞれに設けた上下の髪挟み体５・６間で髪を挟むことができる。
【００１３】
第１挟み腕２は、ケース体８を含み、ケース体８の内部に送風用のファン９、モータ１０およびイオン発生装置１１が収容されている。図４においてケース体８は、上下に２分割された上ケース８ａと、下ケース８ｂとを蓋合わせ状に接合して中空ケース状に構成してある。
【００１４】
処理部１Ｂにおける上ケース８ａは上膨らみ状に形成してあり、図６に示すように上膨らみ部分の内部に先のファン９、モータ１０、およびイオン発生装置１１が収容されており、該当部分の前後両側にイオン発生部１２が膨出形成されている。イオン発生部１２の下端面には、図４に示すごとく下向きに開口するイオン吹出口１３が開口している。第１挟み腕２には、髪挟み体５が処理部１Ｂにおいて第２挟み腕３と対向する面壁の前後中央に埋設固定されている。
【００１５】
グリップ部１Ａにおける上下ケース８ａ・８ｂの前接合部には、スイッチノブ１４が左右方向にスライド切り換え可能に配置してある（図１参照）。グリップ部１Ａにおいて第２挟み腕３と対向する下ケース８ｂの下面には、揺動軸４に近い側にファン９用の吸風口１５が開口している。この吸風口１５には、図２に示すように格子状の防護枠１５ａが一体に成形してある。スイッチノブ１４をオン操作すると、モータ１０およびファン９や、後述するヒータ２０、表示灯１７、イオン発生装置１１が同時に駆動される。
【００１６】
第２挟み腕３と対向する下ケース８ｂの下面に吸風口１５が開口していると、グリップ部１Ａを手で握り締めた状態において、吸風口１５の外面が使用者の手で塞がれてしまうのを防止できる。吸風口１５から吸い込まれた空気は、ファン９で加圧されてイオン吹出口１３から下向きに吹き出る。つまり、イオン吹出口１３はファン９から送給される加圧風の吹出口１６を兼ねる。図３において上ケース８ａの上面には、電気機器が駆動状態にあることを点灯表示する表示灯１７を設けてある。
【００１７】
第２挟み腕３は、左右に長いしゃもじ状に形成されていて、処理部１Ｂにおいて第１挟み腕２と対向する面壁の前後中央に髪挟み体６が埋設固定してある。髪挟み体５・６は左右に長い四角形状のプレス金具で形成されて、互いの対向面がフラット面となるよう構成してあり、図４に示すようにその内部に面状発熱体であるＰＴＣヒータ２０・２０がそれぞれ密着状に配置されている。ヒータ２０・２０は、電気式のものに限らず、ガス式や鉄の酸化反応を利用した発熱方式のものであってもよい。後者の発熱方式の場合には、必ずしも商用電源から電力の供給を受ける必要はなく、乾電池或いは充電池の電力を利用してイオン発生装置１１を駆動することができる。
【００１８】
各髪挟み体５・６の前後面壁には、整髪コーム２１の一群が左右に長い直線列状に形成されており、整髪コーム２１と対向する面壁に浅い溝２２を凹み形成してある。第１挟み腕２側の整髪コーム２１の直線列は、前後にそれぞれ２列づつ形成してあり、第２挟み腕３側の整髪コーム２１の直線列は、先の列の間に入り込む状態で１列のみ設けてある。上下の整髪コーム２１が互いに相手側の溝２２内へ入り込む状態において、各髪挟み体５・６は図４に示すように僅かな隙間を介して近接対向している。なお、ここで言う近接対向とは、各髪挟み体５・６が接触対向することも含む。
【００１９】
先に説明したように、吸風口１５は下ケース８ｂのグリップ部１Ａ側の下面に開口しているが、上下の第１・第２挟み腕２・３を閉じ操作した状態において、吸風口１５が第２挟み腕３で塞がれるのを防止して、ファン９による送風作用を確実化するために、図１および図５に示すように下ケース８ｂと第２挟み腕３との間に吸風隙間Ｅが確保されている。詳しくは、上下の整髪コーム２１が互いに相手側の溝２２と接した状態において、下ケース８ｂと第２挟み腕３とが吸風隙間Ｅ分だけ上下に離間するように、両挟み腕２・３を構成したうえで、吸風口１５を吸風隙間Ｅに臨ませてある。
【００２０】
グリップ部１Ａを手で握り締めると吸風隙間Ｅの前後面が手で塞がれ、とくに両手でグリップ部１Ａを握り締めた場合に、風の通りが阻害されるおそれがある。このような使用形態においてもファン９による送風作用を確実化するために、吸風隙間Ｅはグリップ部１Ａの左右領域のほぼ全体にわたって形成し、吸風隙間Ｅの前後面が手で塞がれてしまうのを解消している。この実施例では、整髪コーム２１と両挟み腕２・３の連結部との間の左右空間の全てを吸風隙間Ｅとして利用した。
【００２１】
上記のように吸風隙間Ｅが整髪コーム２１に隣接していると、髪を一対の髪挟み体５・６で挟み保持したとき、両髪挟み体５・６から食み出た髪が吸風隙間Ｅ側へ入り込み、その一部が吸風口１５に吸い込まれるおそれがある。このような髪の横移動を阻止し、髪が吸風口１５に吸い込まれるのを防ぐために、両髪挟み体５・６と吸風口１５との間の吸風隙間Ｅ、具体的には図２に示すように吸風口１５の左側端の近傍に髪受け突起２３が下ケース８ｂから下向きに突出形成されている。
【００２２】
第１、第２の挟み腕２・３を閉じ操作した状態では、図５に示すように、髪受け突起２３の下端が第２挟み腕３の上面と接して、髪が吸風口１５側へ入り込むのを防止できる。髪受け突起２３は、下ケース８ｂの下面の前後に間隔をあけて２個形成してあるので、吸風隙間Ｅを通る空気の横移動を妨げることはない。
【００２３】
図７においてイオン発生装置１１は、整流回路およびパルス発生器を構成する電気部品（イオン発生用回路）が実装してある回路基板２５と、高電圧を生成するトランス２６と、一対の放電電極２７・２８とを含んでいる。図６において回路基板２５およびトランス２６は、上ケース８ａの上膨らみ部分の内面側端にまとめて配置する。放電電極２７は左右に長い棒状体からなり、その下面に複数個の放電突起２７ａを一定間隔おきに突設してある。放電電極２７は、図４に示すごとく先のイオン発生部１２の内部に配置されて、その両端が上ケース８ａの内面に設けたブラケット２９で支持固定してある。他方の放電電極２８は、図４に示すようにイオン発生部１２の内壁に固定してある。
【００２４】
図７にマイナスイオンを発生するための電気回路の概略を示している。そこでは、商用電源（１００Ｖ）からの整流回路で半波整流したうえで、パルス発生器でパルス電圧・電流に変換する。ついでパルス電圧・電流をトランス２６で昇圧して、例えば４ＫＶに昇圧した高電圧を放電電極２７・２８に印加することにより、放電突起２７ａから放電電極２８に向かって電子が放出される。これにより、電極周辺の空気中の酸素や微少水滴などは、マイナスに帯電してマイナスイオン化され、加圧風とともにイオン吹出口１３から吹き出て、両髪挟み体５・６で挟み保持された髪に付着する。これにより、マイナスイオンによってプラスに帯電した髪を中和して髪のぱさつきを防止し、しかもマイナスイオン化された水分を髪に浸透させて髪をしなやかにできる。なお、送風用のファン９やモータ１０がなくても電子放出時に発生するイオン風によって、マイナスイオンはイオン吹出口１３から放出されるが、さらに効果的にイオンを放出するために、ファン９やモータ１０を設けている。送風用のファン９やモータ１０を省略した構造のものでも、イオン風の吸風のために吸風口１５は使用できる。
【００２５】
このようなマイナスイオンによる髪調整作用を効果的に行うために、イオン吹出口１３の左右長さ寸法はできるだけ大きく設定する。図２に示すようにイオン吹出口１３の左右寸法は、少なくとも髪挟み体５・６の左右長さ寸法とほぼ同じか、これより長く設定することが好ましい。また、髪挟み体５・６を前後に挟む状態で、ケース体８の前後両側にイオン吹出口１３を開口すると、両髪挟み体５・６で挟んだ髪部分より上方および下方の髪部分にマイナスイオンを作用させることができるので、マイナスイオンによる髪調整効果を向上し、髪処理装置を右手で持って使用する場合と、左手で持って使用する場合のいずれでも、髪に対して同等にマイナスイオンを作用させることができ、髪処理装置を使用する方向に制約がない点で使い勝手が良い。イオン吹出口１３と髪挟み体５・６との間に臨むよう、両髪挟み体５・６の接合面の少なくとも何れか一方（本実施例では両方）に整髪コーム２１を設けると、両髪挟み体５・６を通過する前の髪を整髪コーム２１で梳いて、絡んだ髪を整然と梳き通すことができるので、とくに両髪挟み体５・６でくせ付けされた髪を真直ぐに伸ばす場合に髪処理を確実にしかも効果的に行える。また、図４に示すように、そのコーム２１が両髪挟み体５・６を前後に挟む状態で両側に形成すると、梳いた後の整髪した髪をくせ付けできるので、髪どうしを絡み合うことなく効果的にくせ付けできるとともに、そのくせ付け後にさらにコーム２１によって髪を梳き分けることで、その後に位置するイオン吹出口１３による髪に対するイオン送給を効果的に行うことができる。
【００２６】
上下の髪挟み体５・６で髪を挟んだ状態において、イオン吹出口１３から加圧風と共に吹き出たマイナスイオンやイオン化された水分の殆どは髪に付着するが、髪が疎らになると髪の間を通り抜けて空気中に散逸してしまう。このように髪の間を通り抜けるマイナスイオンの散逸を抑止して、マイナスイオンによる髪調整作用を向上させるために、図４に示すごとく第２挟み腕３の前後にはイオン受け部３１が張り出し形成されている。
【００２７】
イオン受け部３１がイオン吹出口１３と上下に対向する状態で設けられていると、イオン吹出口１３から吹き出て髪の間を通り抜けた加圧風は、イオン受け部３１に衝突して反転しようとするが、連続して吹き出る加圧風に押されて変向し、その結果として反転風は斜め横向きに変向されて髪に沿って流れ、その間にマイナスイオンやイオン化された水分が髪に接触して付着する。
【００２８】
図４において、イオン吹出口１３とイオン受け部３１とは、それぞれ髪挟み体５・６から段落ち状に設けられていて、両者１３・３１の対向間隔は、両髪挟み体５・６の対向間隔より充分に大きく設定してある。因みに、両髪挟み体５・６で髪を挟んでくせ伸ばしを行うとき、挟持体１の全体をその長手中心軸まわりにゆっくりと外向き（または内向き）に回転させながら髪を梳くと、髪のくせ伸ばし処理を行いながら、髪全体を内または外向きに大きくロールした状態に仕上げることができる。
【００２９】
このように挟持体１の全体を内外へ回転操作しながら髪をしごくとき、髪挟み体５・６より前後外側に位置するイオン吹出口１３とイオン受け部３１とに髪束が当って、挟持体１の回転動作を邪魔する。しかし上記のように、イオン吹出口１３とイオン受け部３１との対向間隔が大きく設定されていると、図４の想像線で示すように、挟持体１がある程度回転した後でないと、髪束はイオン吹出口１３やイオン受け部３１に接しないので、くせ伸ばし処理を効果的に行うことができる。
【００３０】
図８および図９は吸風隙間Ｅに関する本発明の別実施例を示す。そこでは、グリップ部１Ａにおいて、第２挟み腕３と対向する下ケース８ｂの前後隅部のそれぞれに吸風隙間Ｅを凹み形成し、その側端に吸風口１５を吸風隙間Ｅと連通する状態で開口した。他は先の実施例と同じであるので、同じ部材に同じ符号を付して、その説明を省略する。図９において、両挟み腕２・３のグリップ部１Ａを手で握り締めた状態においては、下ケース８ｂの下面が第２挟み腕３の上面に当たるので、この実施例では髪受け突起２３を省略することができる。
【００３１】
図１０は髪処理装置の別の実施例を示す。そこでは第２挟み腕３を第１挟み腕２に対して揺動軸４で揺動開閉可能に連結したうえで、第２挟み腕３の右側端に設けたレバー３５とケース体８との間にばね３６を配置して、第２挟み腕３を第１挟み腕２へ向かって閉じ勝手に揺動付勢した。ばね３６の付勢力に逆らってレバー３５をケース体８と共に握り締めると、第２挟み腕３が第１挟み腕２から離れる向きへ揺動するので、両挟み腕２・３の間に髪を挟むことができる。髪挟み体５と揺動軸４との間に吸風隙間Ｅを確保し、揺動軸４寄りのケース体８の下面に開口した吸風口１５を、吸風隙間Ｅに臨ませるようにした。他は、先の実施例と同じであるので、同じ部材に同じ符号を付してその説明を省略する。
【００３２】
上記の実施例では、髪のくせを伸ばすストレータについて説明したが、本発明の髪処理装置は、真直ぐの髪を縮れ変形処理するワッフルとして構成してあってもよい。その場合には、髪挟み体５・６の対向面のそれぞれに断面波型の凹凸を形成しておく。
【００３３】
また、本発明は髪挟み体５・６が省略され、整髪コーム２１のみを備えている髪処理装置も含む。その場合には、前後の整髪コーム２１・２１間に、イオン吹出口１３とは別に吹出口１６が開口した形態にすることができる。髪受け突起２３は、左右方向に長いリブ状の突起で形成することができ、その複数個を前後平行に配置して形成してあってもよい。イオン吹出口１３は左右に長い１個のスロットで形成する必要はなく、断続する短いスロットや、穴の列で形成することができる。
【図面の簡単な説明】
【００３４】
【図１】髪処理装置の正面図である。
【図２】第１挟み腕の底面図である。
【図３】第１挟み腕の平面図である。
【図４】図１におけるＡ−Ａ線断面図である。
【図５】図１におけるＢ−Ｂ線断面図である。
【図６】処理部の内部構造を示す縦断正面図である。
【図７】髪処理装置の電気回路の概略を示すブロック図である。
【図８】吸風隙間の別実施例を示す正面図である。
【図９】図８におけるＣ−Ｃ線断面図である。
【図１０】髪処理装置の別の実施例を示す正面図である。
【符号の説明】
【００３５】
１  挟持体
１Ａ  グリップ部
１Ｂ  処理部
２  第１挟み腕
３  第２挟み腕
４  揺動軸
５・６  髪挟み体
８  ケース体
９  ファン
１０  モータ
１１  イオン発生装置
１３  イオン吹出口
１５  吸風口
１６  吹出口
２０  ヒータ
２３  髪受け突起
３１  イオン受け部
Ｅ  吸風隙間
【図１】
0003568949.tif 000002
【図２】
0003568949.tif 000003
【図３】
0003568949.tif 000004
【図４】
0003568949.tif 000005
【図５】
0003568949.tif 000006
【図６】
0003568949.tif 000007
【図７】
0003568949.tif 000008
【図８】
0003568949.tif 000009
【図９】
0003568949.tif 000010
【図１０】
0003568949.tif 000011